(57)【要約】【課題】この発明は、種類の異なる複数の情報を時間情報を媒介として対応付けて記録することにより、複数種類の情報を関連付けて認識させることを可能にした多種情報記録装置及び多種情報記録方法を提供することを目的としている。【解決手段】車載したビデオカメラ１３からの映像、ＧＰＳ受信機１４からの位置情報及びＩＴＳ受信機１５からの交通情報を受信し、それぞれの情報を所定の単位毎にタイムスタンプ発生部１８で発生されるタイムスタンプを共通のパラメータとして対応させてＨＤＤ部２０に記録する。【選択図】    図１
2005032363.tif 000002
【特許請求の範囲】
【請求項１】
種類の異なる複数の情報を受信する受信手段と、
この受信手段で受信された複数種類の情報を順次第１の記録媒体に記録する第１の記録手段と、
タイムスタンプ情報を発生するタイムスタンプ発生手段と、
前記第１の記録手段で記録された複数種類の情報を、それぞれ所定の単位毎に順次読み出し、該単位毎に前記タイムスタンプ発生手段で発生されたタイムスタンプ情報を付加して、第２の記録媒体に記録する第２の記録手段とを具備したことを特徴とする多種情報記録装置。
【請求項２】
前記第２の記録手段は、前記第１の記録手段から所定の単位毎に読み出された複数種類の情報を、前記タイムスタンプ情報を共通のパラメータとして対応付けて前記第２の記録媒体に記録することを特徴とする請求項１記載の多種情報記録装置。
【請求項３】
前記複数種類の情報は、車載用カメラから得られた映像情報、ＧＰＳにより得られる位置情報、ＩＴＳにより得られる交通情報のうちの少なくとも２つを含むことを特徴とする請求項１または２記載の多種情報記録装置。
【請求項４】
前記複数種類の情報は、車載用カメラから得られた映像情報、エンジンの回転数を示す情報、速度を示す情報、加速度を示す情報及びハンドル切角を示す情報のうちの少なくとも２つを含むことを特徴とする請求項１または２記載の多種情報記録装置。
【請求項５】
前記複数種類の情報は、カメラから得られる映像情報、音声情報、ホワイトボードの書き込み情報のうちの少なくとも２つを含むことを特徴とする請求項１または２記載の多種情報記録装置。
【請求項６】
種類の異なる複数の情報を受信する工程と、
受信した複数種類の情報を順次第１の記録媒体に記録する工程と、
タイムスタンプ情報を発生する工程と、
前記第１の記録媒体に記録された複数種類の情報を、それぞれ所定の単位毎に順次読み出し、該単位毎に前記タイムスタンプ情報を付加して第２の記録媒体に記録する工程とを具備したことを特徴とする多種情報記録方法。
【請求項７】
前記第２の記録媒体には、前記第１の記録媒体から所定の単位毎に読み出された複数種類の情報が、前記タイムスタンプ情報を共通のパラメータとして対応付けて記録されることを特徴とする請求項６記載の多種情報記録方法。
【請求項８】
複数種類の情報が、それぞれ所定の単位毎にタイムスタンプ情報を共通のパラメータとして対応付けて記録された記録媒体と、
この記録媒体に記録された複数種類の情報のいずれかに対して、特定の時点を指定する情報を受信する受信手段と、
この受信手段で受信した情報で指定された時点に対応する前記タイムスタンプ情報が付された情報を、前記記録媒体から読み出して出力する出力手段とを具備したことを特徴とする多種情報再生装置。
【請求項９】
複数種類の情報が、それぞれ所定の単位毎にタイムスタンプ情報を共通のパラメータとして対応付けて記録された記録媒体に対して、いずれかの情報の特定の時点を指定する情報を受信する工程と、
受信した情報で指定された時点に対応する前記タイムスタンプ情報が付された情報を、前記記録媒体から読み出して出力する工程とを具備したことを特徴とする多種情報再生方法。
【発明の詳細な説明】
【技術分野】
【０００１】
この発明は、種類の異なる複数の情報を記録可能な多種情報記録装置及び多種情報記録方法に関する。また、この発明は、記録された複数種類の情報を再生する多種情報再生装置及び多種情報再生方法に関する。
【背景技術】
【０００２】
周知のように、現在では、様々な技術分野において、多種多様な情報を記録する装置が普及している。例えば映像機器の分野では、静止画像情報を記録する電子スチルカメラ、動画像情報を記録するビデオカメラ、音声情報を記録するボイスレコーダ等が存在する。また、計測機器の分野では、測定した電圧値を記録するマルチロガー等が存在する。
【０００３】
ところで、現在市場に普及している記録装置は、いずれも、単一種類の情報、または、映像と音声のように相互に深く関連した複数種類の情報を記録する機能を有するものだけである。すなわち、直接的に関連しない複数種類の情報を複合的に取り扱える記録装置については、特に積極的な開発がなされていないのが現状である。
【０００４】
特許文献１には、書き替え不可の大容量記録媒体に記録された第１の地図データと、書き替え可能な半導体記録媒体に記録された第２の地図データとのタイムスタンプを比較して、最新のデータを読み込んで画面上に表示させる構成が開示されているが、複数種類の情報を記録することについては何らの記載もなされていないものである。
【特許文献１】特開２００３−４４６１号公報
【発明の開示】
【発明が解決しようとする課題】
【０００５】
そこで、この発明は上記事情を考慮してなされたもので、種類の異なる複数の情報を時間情報を媒介として対応付けて記録することにより、複数種類の情報を関連付けて認識させることを可能にした多種情報記録装置及び多種情報記録方法を提供することを目的とする。
【０００６】
また、この発明は、上記した多種情報記録装置及び多種情報記録方法によって記録された複数種類の情報を時間情報を媒介として再生することにより、複数種類の情報を関連付けて認識させることができる多種情報再生装置及び多種情報再生方法を提供することを目的とする。
【課題を解決するための手段】
【０００７】
この発明に係る多種情報記録装置は、種類の異なる複数の情報を受信する受信手段と、この受信手段で受信された複数種類の情報を順次第１の記録媒体に記録する第１の記録手段と、タイムスタンプ情報を発生するタイムスタンプ発生手段と、第１の記録手段で記録された複数種類の情報を、それぞれ所定の単位毎に順次読み出し、該単位毎にタイムスタンプ発生手段で発生されたタイムスタンプ情報を付加して、第２の記録媒体に記録する第２の記録手段とを備えるようにしたものである。
【０００８】
また、この発明に係る多種情報記録方法は、種類の異なる複数の情報を受信する工程と、受信した複数種類の情報を順次第１の記録媒体に記録する工程と、タイムスタンプ情報を発生する工程と、第１の記録媒体に記録された複数種類の情報を、それぞれ所定の単位毎に順次読み出し、該単位毎にタイムスタンプ情報を付加して第２の記録媒体に記録する工程とを備えるようにしたものである。
【０００９】
さらに、この発明に係る多種情報再生装置は、複数種類の情報が、それぞれ所定の単位毎にタイムスタンプ情報を共通のパラメータとして対応付けて記録された記録媒体と、この記録媒体に記録された複数種類の情報のいずれかに対して、特定の時点を指定する情報を受信する受信手段と、この受信手段で受信した情報で指定された時点に対応するタイムスタンプ情報が付された情報を、記録媒体から読み出して出力する出力手段とを備えるようにしたものである。
【００１０】
また、この発明に係る多種情報再生方法は、複数種類の情報が、それぞれ所定の単位毎にタイムスタンプ情報を共通のパラメータとして対応付けて記録された記録媒体に対して、いずれかの情報の特定の時点を指定する情報を受信する工程と、受信した情報で指定された時点に対応するタイムスタンプ情報が付された情報を、記録媒体から読み出して出力する工程とを備えるようにしたものである。
【発明の効果】
【００１１】
上記した多種情報記録装置及び多種情報記録方法によれば、種類の異なる複数の情報を時間情報を共通のパラメータとして対応付けて記録するようにしたので、複数種類の情報を関連付けて認識させることを可能にすることができる。
【００１２】
また、上記した多種情報再生装置及び多種情報再生方法によれば、上記多種情報記録装置及び多種情報記録方法によって記録された複数種類の情報を、時間情報を共通のパラメータとして再生するようにしたので、複数種類の情報を関連付けて認識させることができる。
【発明を実施するための最良の形態】
【００１３】
以下、この発明の実施の形態について図面を参照して詳細に説明する。図１は、この実施の形態で説明する車載用ナビゲーションシステムを示している。すなわち、図１において、符号１１は自動車で、その所定位置に複数種類の情報を記録再生可能な多種情報記録再生機器１２が搭載されている。
【００１４】
この多種情報記録再生機器１２には、自動車１１にその進行方向前方の情景を撮影するように設置されたビデオカメラ１３から得られる映像及び音声情報と、ＧＰＳ（Global Positioning System）受信機１４から得られる位置情報と、ＩＴＳ（Intelligent Transport Systems）受信機１５から得られる交通情報との、３種類の情報が供給されている。
【００１５】
そして、この多種情報記録再生機器１２は、入力された３種類の情報を、時間情報を共通のパラメータとして、つまり、時間情報を媒介として対応付けた形態で記録している。具体的に言えば、この多種情報記録再生機器１２は、入力された３種類の情報を、自己の発生するタイムスタンプと共に記録している。
【００１６】
また、この多種情報記録再生機器１２は、記録された３種類の情報をカーナビゲーション機器１６に出力可能である。この場合、多種情報記録再生機器１２は、カーナビゲーション機器１６からの要求に基づいて、３種類の情報をタイムスタンプを媒介として対応付けるように編集し、カーナビゲーション機器１６の画面に表示させることができる。
【００１７】
図２は、多種情報記録再生機器１２の詳細を示している。この多種情報記録再生機器１２は、インターフェース部１７、タイムスタンプ発生部１８、操作部１９、ＨＤＤ（Hard Disk Drive）部２０、編集部２１、ＲＯＭ（Read Only Memory）２２、ＲＡＭ（Random Access Memory）２３及びＣＰＵ（Central Processing Unit）２４等を備えている。
【００１８】
このうち、インターフェース部１７は、上記ビデオカメラ１３、ＧＰＳ受信機１４及びＩＴＳ受信機１５から出力された情報を受信するとともに、カーナビゲーション機器１６との情報通信を行なうように機能する。また、タイムスタンプ発生部１８は、時間情報としてのタイムスタンプを独自に発生する機能を有する。
【００１９】
さらに、操作部１９は、ユーザが多種情報記録再生機器１２に対して所定の動作や動作停止の要求を入力する部分であり、リモートコントローラ等も含むものとする。また、ＨＤＤ部２０は、ビデオカメラ１３、ＧＰＳ受信機１４及びＩＴＳ受信機１５から得られた各情報を、タイムスタンプ発生部１８で発生されたタイムスタンプと共に記録する。
【００２０】
上記編集部２１は、詳細は後述するが、カーナビゲーション機器１６からの要求に基づいて、ＨＤＤ部２０に記録された３種類の情報を、タイムスタンプを媒介として対応付けるように編集する機能を有する。そして、この編集部２１で編集された情報は、カーナビゲーション機器１６に出力されて、その画面に表示される。
【００２１】
また、ＲＯＭ２２には、ＣＰＵ２４が実行するための各種の制御プログラム、各種の設定値等が格納されている。さらに、ＲＡＭ２３には、ＣＰＵ２４に提供するワークエリアが形成されるとともに、ビデオカメラ１３、ＧＰＳ受信機１４及びＩＴＳ受信機１５から得られた各情報を、一時的に格納するエリアが形成されている。
【００２２】
そして、上記ＣＰＵ２４は、ＲＯＭ２２に格納された制御プログラムに基づいて、ＲＡＭ２３をワークエリアとして使用することにより、操作部１９からの操作情報、または、カーナビゲーション機器１６からの要求情報を反映するように、各部の動作を統括的に制御している。
【００２３】
図３は、上記のように構成された多種情報記録再生機器１２の主要な記録処理動作をまとめたフローチャートを示している。まず、処理が開始（ステップＳ１）されると、ＣＰＵ２４は、ステップＳ２で、ビデオカメラ１３、ＧＰＳ受信機１４及びＩＴＳ受信機１５から出力された３種類の情報を、インターフェース部１７を介して所定の順序で取り込み、ステップＳ３で、順次ＲＡＭ２３に記録する。
【００２４】
そして、ＣＰＵ２４は、ステップＳ４で、ＲＡＭ２３から所定の単位毎に各情報を順次読み出し、タイムスタンプ発生部１８で発生されたタイムスタンプを付加した後、ステップＳ５で、ＨＤＤ部２０に格納し、ここに、ビデオカメラ１３、ＧＰＳ受信機１４及びＩＴＳ受信機１５から得られた各情報を記録する動作が終了（ステップＳ６）される。
【００２５】
図４は、ＨＤＤ部２０における各情報の格納形態を示している。すなわち、タイムスタンプを共通のパラメータとして、同じタイムスタンプが付加された映像及び音声情報と位置情報と交通情報とが対応して格納されている。
【００２６】
このため、タイムスタンプ、映像及び音声情報、位置情報及び交通情報のいずれかに対してその時点を指定することによって、指定された時点と同じタイムスタンプの付された他の情報を容易に得ることが可能となり、複数種類の情報を関連付けて認識させることを可能にすることができる。
【００２７】
図５は、走行終了後に、カーナビゲーション機器１６からの要求に基づいて、ＨＤＤ部２０に格納された情報をカーナビゲーション機器１６に表示させる再生処理動作をまとめたフローチャートを示している。
【００２８】
すなわち、図５では、カーナビゲーション機器１６に、これから走行するための道案内をさせる動作を示しているのではなく、既に走行が終了している状態で、例えば、走行した経路の確認や、他者が後日に同じ経路を通る場合に経路の確認を行なうための表示を行なわせる動作を示している。
【００２９】
まず、処理が開始（ステップＳ７）されると、ユーザは、ステップＳ８で、カーナビゲーション機器１６の画面に、図６に示すように地図を表示させ、この地図上でカーソルｋを移動させることにより位置を指定する。すると、カーナビゲーション機器１６は、ステップＳ９で、指定された位置を示す情報を多種情報記録再生機器１２に出力する。
【００３０】
これにより、多種情報記録再生機器１２の編集部２１は、ステップＳ１０で、入力された位置情報とタイムスタンプが一致する映像及び音声情報と交通情報とをＨＤＤ部２０から読み出し、カーナビゲーション機器１６で認識可能な形態に編集して、カーナビゲーション機器１６に出力する。
【００３１】
すると、カーナビゲーション機器１６は、ステップＳ１１で、多種情報記録再生機器１２から供給された映像及び音声情報と交通情報とを、図７に示すように画面に表示させ、ここに、カーナビゲーション機器１６からの要求に基づいて、ＨＤＤ部２０に格納された情報をカーナビゲーション機器１６に表示する動作が終了（ステップＳ１２）される。
【００３２】
このため、映像及び音声情報、位置情報及び交通情報のいずれかに対してその時点を指定することによって、指定された時点と同じタイムスタンプの付された他の情報を容易に得ることが可能となり、複数種類の情報を関連付けて認識させることができる
図８は、上記した実施の形態の変形例を示している。図８において、図２と同一部分には同一符号を付して説明すると、多種情報記録再生機器１２は、ビデオカメラ１３からの映像及び音声情報に加えて、エンジン回転数検出部２５からの回転数情報、速度検出部２６からの速度情報、加速度検出部２７からの加速度情報、ハンドル切角検出部２８からのハンドル切角情報等を入力し、これらの５種類の情報をタイムスタンプと共にＨＤＤ部２０に記録している。
【００３３】
そして、インターフェース部１７に例えばＰＣ（Personal Computer）等を接続し、このＰＣからＨＤＤ部２０に記録された各種の情報を時間の経過に沿って表示することが要求された場合、編集部２１は、ＨＤＤ部２０に格納された各種の情報をタイムスタンプ順に読み出し、ＰＣで認識可能な形態に編集してＰＣに出力する。
【００３４】
これにより、ＰＣでは、図９に示すように、映像、エンジン回転数、速度、加速度及びハンドル切角を、時間の経過に沿って順次表示することができる。この場合、ＨＤＤ部２０に記録された各種の情報は、自動車１１の走行履歴を示すものとなり、例えば事故等が発生した場合、事故解析に有力な情報となる。
【００３５】
また、多種情報記録再生機器１２は、自動車１１から取り外し、単体で持ち出すこともできる。この場合も、多種情報記録再生機器１２単体で、動画像、静止画像及び音声等の複数種類の情報をタイムスタンプとともに記録することができる。そして、例えばＰＣ等を接続することにより、ＨＤＤ部２０に記録された各種の情報を、タイムスタンプに同期して再生し編集することができる。
【００３６】
さらに、ＰＣでカーナビゲーションシステムの最新のデータ等をアップデートすることができる。また、ＰＣに、ＨＤＤ部２０の情報を渡すだけで、自動的に複合的なビデオ映像を作成する機能を持たせることもできる。この複合的なビデオ映像とは、映像情報だけでなく、写真や位置情報、カーナビゲーション機器１６の履歴等のデータもタイムスタンプと合わせて記録したもので、単に、映像と時間とが対応しているだけでなく、位置情報、カーナビゲーション機器１６の履歴等から地図を生成して、地図と映像情報とを対応させるというように、映像と他のパラメータとの対応が可能なビデオ映像のことである。
【００３７】
これらについては、例えば旅行等の複合的なビデオ映像を作成するようなシチュエーションで考えると、目的地までの移動中の車内、車外の情景を複数のビデオカメラで撮影しＨＤＤ部２０に格納する。その後、観光地や目的地でビデオ、写真を撮影しＨＤＤ部２０に記録することができる。
【００３８】
図１０は、この発明の他の実施の形態を示している。すなわち、図１０では、多種情報記録再生機器１２で会議の状況を記録する場合を示している。図１０において、図２と同一部分には同一符号を付して説明すると、多種情報記録再生機器１２は、ボイスレコーダ２９からの音声情報、会議室全体を撮影するビデオカメラ３０からの映像情報、発言者を追って撮影するビデオカメラ３１からの映像情報、ホワイトボード３２からの書き込み情報等を入力し、これらの４種類の情報をタイムスタンプと共にＨＤＤ部２０に記録している。
【００３９】
そして、インターフェース部１７に例えばＰＣ等を接続し、このＰＣから所定の時刻におけるホワイトボード３２の情報を取得することが要求された場合、編集部２１は、ＨＤＤ部２０からその時刻に対応するホワイトボード３２の情報を読み出し、ＰＣで認識可能な形態に編集してＰＣに出力する。これにより、ＰＣには、図１１に示すように、要求された時刻におけるホワイトボード３２に記載された内容が表示される。
【００４０】
そして、ユーザが、ホワイトボード３２の表示画面上でカーソルｋを移動させることにより位置を特定すると、ＰＣは、特定された位置に記載された項目の説明を行なっている場面を示す情報を多種情報記録再生機器１２に要求する。
【００４１】
これにより、多種情報記録再生機器１２の編集部２１は、入力されたホワイトボード３２の位置情報とタイムスタンプが一致する各種の情報をＨＤＤ部２０から読み出し、ＰＣで認識可能な形態に編集して出力する。このため、ＰＣには、図１２に示すように、要求された項目の説明を行なっているときの、ビデオカメラ３０，３１の映像及びホワイトボード３２の映像が表示されるとともに、ボイスレコーダ２９の音声が再生される。
【００４２】
なお、この発明は上記した実施の形態そのままに限定されるものではなく、実施段階ではその要旨を逸脱しない範囲で構成要素を種々変形して具体化することができる。
【００４３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４４】
【図１】この発明の実施の形態を示すもので、車載用ナビゲーションシステムを説明するために示す図。
【図２】同車載用ナビゲーションシステムにおける多種情報記録再生機器を説明するために示すブロック構成図。
【図３】同多種情報記録再生機器の主要な記録処理動作を説明するために示すフローチャート。
【図４】同多種情報記録再生機器のＨＤＤ部における各情報の格納形態を説明するために示す図。
【図５】同多種情報記録再生機器の主要な再生処理動作を説明するために示すフローチャート。
【図６】同再生処理動作におけるカーナビゲーション機器が表示した画面の一例を説明するために示す図。
【図７】同再生処理動作によってカーナビゲーション機器に表示される再生画面の一例を説明するために示す図。
【図８】同車載用ナビゲーションシステムにおける多種情報記録再生機器の変形例を説明するために示すブロック構成図。
【図９】同変形例の多種情報記録再生機器によってカーナビゲーション機器に表示される再生画面の一例を説明するために示す図。
【図１０】この発明の他の実施の形態を示すもので、会議の状況を記録する多種情報記録再生機器を説明するために示すブロック構成図。
【図１１】同多種情報記録再生機器によってＰＣに表示される再生画面の一例を説明するために示す図。
【図１２】同多種情報記録再生機器によってＰＣに表示される再生画面の他の例を説明するために示す図。
【符号の説明】
【００４５】
１１…自動車、１２…多種情報記録再生機器、１３…ビデオカメラ、１４…ＧＰＳ受信機、１５…ＩＴＳ受信機、１６…カーナビゲーション機器、１７…インターフェース部、１８…タイムスタンプ部、１９…操作部、２０…ＨＤＤ部、２１…編集部、２２…ＲＯＭ、２３…ＲＡＭ、２４…ＣＰＵ、２５…エンジン回転数検出部、２６…速度検出部、２７…加速度検出部、２８…ハンドル切角検出部、２９…ボイスレコーダ、３０，３１…ビデオカメラ、３２…ホワイトボード。
【図１】
2005032363.tif 000003
【図２】
2005032363.tif 000004
【図３】
2005032363.tif 000005
【図４】
2005032363.tif 000006
【図５】
2005032363.tif 000007
【図６】
2005032363.tif 000008
【図７】
2005032363.tif 000009
【図８】
2005032363.tif 000010
【図９】
2005032363.tif 000011
【図１０】
2005032363.tif 000012
【図１１】
2005032363.tif 000013
【図１２】
2005032363.tif 000014